(57)【特許請求の範囲】
【請求項１】
現在のセルの信号強度がちょうど設定値より低いときから開始する期間が第１の設定時間を超えるとき、前記現在のセルと隣接セルの信号強度を第２の設定時間内に取得するステップと、
前記現在のセルの信号安定性を前記現在のセルの前記信号強度に従って判定し、前記隣接セルの信号安定性を前記隣接セルの前記信号強度に従って判定するステップと、
前記隣接セルの前記信号安定性が前記現在のセルの前記信号安定性より低くないときサービング・セルを前記現在のセルに在圏するステップと、
を含む、セル再選択を制御するための方法。
【請求項２】
前記現在のセルの前記信号安定性を前記現在のセルの前記信号強度に従って判定するステップは、
前記現在のセルの前記信号安定性を
【数１】
0005804199.tif 000014
に従って計算するステップであって、
【数２】
0005804199.tif 000015
は前記現在のセルの前記信号安定性であり、ｑｎは前記第２の設定時間内のｎ番目の時点で取得された前記現在のセルの信号強度であり、Ｑａｖｇは前記第２の設定時間内のＮ個の時点で取得された前記現在のセルの信号強度の平均であり、Ｎは前記現在のセルの前記信号強度が前記第２の設定時間内に取得される時点の数であり、Ｎは２以上であるステップを含む、請求項１に記載の方法。
【請求項３】
前記隣接セルの前記信号強度に従って前記隣接セルの前記信号安定性を決定するステップは、
前記隣接セルの信号安定性を
【数３】
0005804199.tif 000016
に従って計算するステップであって、Ｑｒは前記隣接セルの前記信号安定性であり、ｗｎは前記第２の設定時間におけるｎ番目の時点で取得された前記隣接セルの信号強度であり、Ｑａは前記第２の設定時間におけるＮ個の時点で取得された前記隣接セルの信号強度の平均であり、Ｎは前記隣接セルの前記信号強度が前記第２の設定時間内に取得された時点の数であるステップを含む、請求項１または２に記載の方法。
【請求項４】
前記隣接セルの信号安定性が前記現在のセルの信号安定性より低くないとき前記サービング・セルを前記現在のセルに在圏するステップは、
隣接セルの数が１であり、かつ、前記隣接セルの信号安定性が前記現在のセルの信号安定性より低くないとき、前記サービング・セルを前記現在のセルに在圏させるステップと、
隣接セルの数が少なくとも２であり、かつ、前記隣接セルの信号安定性のうち最小の安定性が前記現在のセルの信号安定性よりも低くないとき、前記サービング・セルを前記現在のセルに在圏させるステップと、
を含む、請求項１乃至３の何れか１項に記載の方法。
【請求項５】
前記隣接セルの信号安定性が前記現在のセルの信号安定性より低いとき、前記サービング・セルを前記現在のセルから前記隣接セルへ再選択するステップをさらに含む、請求項１乃至４の何れか１項に記載の方法。
【請求項６】
前記隣接セルの信号安定性が前記現在のセルの信号安定性より低いとき前記サービング・セルを前記現在のセルから前記隣接セルへ再選択するステップは、
隣接セルの数が１であり、かつ、前記隣接セルの信号安定性が前記現在のセルの信号安定性より低いとき、前記サービング・セルを前記現在のセルから前記隣接セルへ再選択するステップと、
隣接セルの数が少なくとも２であり、かつ、前記隣接セルの信号安定性のうち最小の安定性が前記現在のセルの信号安定性より低いとき、前記サービング・セルを前記現在のセルから最小の安定性に対応する隣接セルへ再選択するステップと、
を含む、請求項５に記載の方法。
【請求項７】
前記サービング・セルを前記現在のセルに在圏させた後、
数が指定された時点に前記サービング・セルの信号強度を連続的に取得するステップと、
数が指定された取得信号強度に従って前記サービング・セルの信号安定性を計算するステップと、
前記信号安定性が事前設定された閾値より高いとき、前記サービング・セルと前記隣接セルの信号強度を第４の設定時間内に取得するステップと、
前記信号安定性が前記事前設定された閾値より高くないとき、次の時点に、前記サービング・セルの信号強度を取得するステップと、
数が指定された信号強度のうち第１の時点に取得した信号強度以外の全ての信号強度に従って、かつ、前記次の時点に取得された信号強度に従って、前記サービング・セルの信号安定性を計算するステップを実施するステップと、
をさらに含む、請求項１に記載の方法。
【請求項８】
前記第４の設定時間において前記サービング・セルと隣接セルの信号強度を取得した後、前記信号安定性が前記事前設定された閾値より高いとき、
前記サービング・セルの信号強度に従って前記サービング・セルの信号安定性を決定し、前記隣接セルの信号強度に従って前記隣接セルの信号安定性を決定するステップと、
隣接セルの数が１である場合に、前記隣接セルの信号安定性が前記サービング・セルの信号安定性より低くないときには前記サービング・セルに在圏し、または、前記隣接セルの信号安定性が前記サービング・セルの信号安定性より低いときには前記サービング・セルを前記隣接セルとなるように再選択するステップと、
隣接セルの数が少なくとも２である場合には、前記隣接セルの信号安定性のうち最小の安定性が前記サービング・セルの信号安定性より低くないときには前記サービング・セルに在圏し、または、前記隣接セルの信号安定性のうちの最小の安定性が前記サービング・セルの信号安定性より低いときには前記サービング・セルを最小の安定性に対応する隣接セルとなるように再選択するステップと、
をさらに含む、請求項７に記載の方法。
【請求項９】
現在のセルの信号強度がちょうど設定値より低いときから開始する期間が第１の設定時間を超えるとき、前記現在のセルと隣接セルの信号強度を第２の設定時間内に取得するように構成された信号強度取得ユニットと、
前記現在のセルの前記信号強度に従って前記現在のセルの信号安定性を決定し、前記隣接セルの前記信号強度に従って前記隣接セルの信号安定性を決定するように構成された信号安定性判定ユニットと、
前記隣接セルの信号安定性が前記現在のセルの信号安定性より低くないとき、サービング・セルを前記現在のセルに在圏させるように構成された再選択制御ユニットと、
を備える、セル再選択を制御するための装置。
【請求項１０】
前記信号安定性判定ユニットは、前記現在のセルの信号安定性を
【数４】
0005804199.tif 000017
に従って計算するように構成され、
【数５】
0005804199.tif 000018
は前記現在のセルの信号安定性であり、ｑｎは前記第２の設定時間内のｎ番目の時点で取得された前記現在のセルの信号強度であり、Ｑａｖｇは前記第２の設定時間内のＮ個の時点で取得された前記現在のセルの信号強度の平均であり、Ｎは前記現在のセルの前記信号強度が前記第２の設定時間内に取得される時点の数である、請求項９に記載の装置。
【請求項１１】
前記信号安定性判定ユニットは、前記隣接セルの信号安定性を
【数６】
0005804199.tif 000019
に従って計算するように構成され、Ｑｒは前記隣接セルの信号安定性であり、ｗｎは前記第２の設定時間におけるｎ番目の時点で取得された前記隣接セルの信号強度であり、Ｑａは前記第２の設定時間におけるＮ個の時点で取得された前記隣接セルの信号強度の平均であり、Ｎは前記隣接セルの前記信号強度が前記第２の設定時間内に取得された時点の数である、請求項９または１０に記載の装置。
【請求項１２】
前記再選択制御ユニットは、隣接セルの数が１であり、かつ、前記隣接セルの信号安定性が前記現在のセルの信号安定性より低くないとき、前記サービング・セルを前記現在のセルに在圏させるように構成され、隣接セルの数が少なくとも２であり、かつ、前記隣接セルの信号安定性のうち最小の安定性が前記現在のセルの信号安定性よりも低くないとき、前記サービング・セルを前記現在のセルに在圏させるようにさらに構成された、請求項９乃至１１の何れか１項に記載の装置。
【請求項１３】
前記再選択制御ユニットは、隣接セルの数が１であり、かつ、前記隣接セルの信号安定性が前記現在のセルの信号安定性より低いとき、前記サービング・セルを現在のセルから隣接セルへ再選択するように構成され、隣接セルの数が少なくとも２であり、かつ、前記隣接セルの信号安定性のうち最小の安定性が前記現在のセルの信号安定性より低いとき、前記サービング・セルを前記現在のセルから最小の安定性に対応する隣接セルに再選択するようにさらに構成された、請求項９乃至１２の何れか１項に記載の装置。
【請求項１４】
前記信号強度取得ユニットはさらに、数が指定された時点に前記サービング・セルの信号強度を連続的に取得するように構成され、
前記信号安定性判定ユニットはさらに、数が指定された取得信号強度に従って前記サービング・セルの信号安定性を計算するように構成され、
前記信号強度取得ユニットはさらに、前記信号安定性が事前設定された閾値より高いとき、前記サービング・セルと前記隣接セルの信号強度第４の設定時間内に取得するように構成され、
前記信号強度取得ユニットはさらに、前記信号安定性が前記事前設定された閾値より高くないとき、次の時点に、前記サービング・セルの信号強度を取得するように構成され、
前記信号安定性判定ユニットはさらに、数が指定された信号強度のうち第１の時点に取得した信号強度以外の全ての信号強度に従って、かつ、前記次の時点に取得された信号強度に従って、前記サービング・セルの信号安定性を再計算するように構成された、
請求項９、１２または１３に記載の装置。
【請求項１５】
前記信号安定性判定ユニットはさらに、前記サービング・セルの信号強度に従って前記サービング・セルの信号安定性を決定し、前記隣接セルの信号強度に従って前記隣接セルの信号安定性を決定するように構成され、
前記再選択制御ユニットはさらに、隣接セルの数が１である場合に、前記隣接セルの信号安定性が前記サービング・セルの信号安定性より低くないときには前記サービング・セルに在圏し、もしくは、前記隣接セルの信号安定性が前記サービング・セルの信号安定性より低いときには前記サービング・セルを前記隣接セルとなるように再選択し、または、前記隣接セルの数が少なくとも２である場合には、前記隣接セルの信号安定性のうち最小の安定性が前記サービング・セルの信号安定性より低くないときには前記サービング・セルに在圏し、または、前記隣接セルの信号安定性のうちの最小の安定性が前記サービング・セルの信号安定性より低いときには前記サービング・セルを最小の安定性に対応する隣接セルとなるように再選択するように構成された、
請求項１４に記載の装置。
【請求項１６】
前記装置がモデムである、請求項９乃至１５の何れか１項に記載の装置。
【発明の詳細な説明】
【技術分野】
【０００１】
本発明は、端末技術の分野に関し、特に、セル再選択を制御するための方法と装置に関する。
【背景技術】
【０００２】
モデム（Ｍｏｄｅｍ）またはモデム装置は、携帯電話、データ・カード、またはタブレットのようなモバイル通信装置の一部である。
【発明の概要】
【発明が解決しようとする課題】
【０００３】
弱場では、単一セルの信号強度は弱く、信号品質は貧弱で不安定である。現在のセルの信号強度や信号品質のようなパラメータは隣接セルのものと殆ど差異がない。モデムまたはモデム装置が弱場でスタンバイであるとき、通常、信号が一時的に不安定であるため信号品質の因子が影響を受けることを発見した。Ｒアルゴリズムを通じて得られた隣接セルの信号品質因子が現在のセルの信号品質因子より良好であるとき、サービング・セルの再選択が現在のセルから隣接セルに対して行われる。弱場における信号の不安定性のため、モデムまたはモデム装置は、セル再選択を繰り返し行って、サービング・セルが最適な品号品質因子を有するセルであることを保証する必要がある。しかし、このようにセル再選択を繰り返すことにより、スタンバイの電力消費が増大し、モデムまたはモデム装置のスタンバイ時間が減る。
【課題を解決するための手段】
【０００４】
本発明の諸実施形態では、セル再選択を制御するための方法および装置を提供して、弱場の状況での無意味なセル再選択の実施を回避し、モデムまたはモデム装置のスタンバイ電力消費を減らし、スタンバイ時間を伸ばす。
【０００５】
以上の目的を達成するために、本発明では以下の技術的解決策を使用する。
【０００６】
セル再選択を制御するための方法であって、現在のセルの信号強度がちょうど設定値より低いときから開始する期間が第１の設定時間を超えるとき、当該現在のセルと隣接セルの信号強度を第２の設定時間内に取得するステップと、当該現在のセルの信号安定性を当該現在のセルの当該信号強度に従って判定し、当該隣接セルの信号安定性を当該隣接セルの当該信号強度に従って判定するステップと、当該隣接セルの信号安定性が当該現在のセルの信号安定性より低くないとき、サービング・セルを当該現在のセルに在圏（ｃａｍｐ  ｏｎ）するステップと、を含む方法。
【０００７】
セル再選択を制御するための方法であって、現在のセルの信号強度が設定値より低い期間が第３の設定時間を超えるとき、サービング・セルの信号強度を、数が指定された時点に連続的に取得するステップと、その数が指定された取得信号強度に従って当該サービング・セルの信号安定性を計算するステップと、当該信号安定性が事前設定された閾値より高いとき、サービング・セルと隣接セルの信号強度を第４の設定時間内に取得するステップと、当該サービング・セルの信号強度に従って当該サービング・セルの信号安定性を決定し、当該隣接セルの信号強度に従って当該隣接セルの信号安定性を決定するステップと、当該隣接セルの信号安定性が当該サービング・セルの信号安定性より低くないとき、当該サービング・セルに在圏するステップと、を含む方法。
【０００８】
セル再選択を制御するための装置であって、現在のセルの信号強度がちょうど設定値より低いときから開始する期間が第１の設定時間を超えるとき、当該現在のセルと隣接セルの信号強度を第２の設定時間内に取得するように構成された信号強度取得ユニットと、当該現在のセルの信号強度に従って当該現在のセルの信号安定性を決定し、当該隣接セルの信号強度に従って当該隣接セルの信号安定性を決定するように構成された信号安定性判定ユニットと、当該隣接セルの信号安定性が当該現在のセルの信号安定性より低くないとき、サービング・セルを現在のセルに在圏するように構成された再選択制御ユニットと、を備える装置。
【０００９】
セル再選択を制御するための装置であって、現在のセルの信号強度が設定値より低い期間が第３の設定時間を超えるとき、サービング・セルの信号強度を、その数が指定された時点に連続的に取得するように構成された第１のユニットと、その数が指定された取得信号強度に従って当該サービング・セルの信号安定性を計算するように構成された第２のユニットと、当該信号安定性が事前設定された閾値より高いとき、サービング・セルと隣接セルの信号強度を第４の設定期間内に取得するように構成された第３のユニットと、当該サービング・セルの信号強度に従って当該サービング・セルの信号安定性を決定し、当該隣接セルの信号強度に従って当該隣接セルの信号安定性を決定するように構成された第４のユニットと、当該隣接セルの信号安定性が当該サービング・セルの信号安定性より低くないときにサービング・セルに在圏するように構成された第５のユニットと、を備える装置。
【００１０】
本発明の諸実施形態で提供するセル再選択を制御するための方法および装置では、当該現在のセルの当該信号強度が設定値より低い期間が設定時間を超えるとき、これはモデムまたはモデム装置が弱場に入ったことを示す。現在のセルと隣接セルの信号強度が第２の設定時間内に取得され、現在のセルと隣接セルの信号安定性が計算され、当該隣接セルの信号安定性が当該現在のセルの信号安定性より低くないとき、サービング・セルは現在のセルに在圏する。本発明の諸実施形態により、弱場の状況において、弱場の信号不安定性のため、モデムまたはモデム装置が継続的にセル再選択を行う必要があり、スタンバイ電力消費が増大し、モデムまたはモデム装置のスタンバイ時間が短くなるという先行技術の問題が解決され、結果として、モデムまたはモデム装置が弱場の状況において最も安定したサービング・セルに在圏し、無意味なセル再選択の実施が回避され、モデムまたはモデム装置のスタンバイ電力消費が減り、スタンバイ時間が延びる。
【図面の簡単な説明】
【００１１】
【図１】本発明の実施形態１に従うセル再選択を制御するための方法の流れ図である。
【図２】本発明の実施形態１に従うセル再選択を制御するための方法の全体的な流れ図である。
【図３】本発明の実施形態１に従うセル再選択を制御するための方法の流れ図である。
【図４】本発明の実施形態２に従うセル再選択を制御するための装置の構造図である。
【図５】本発明の実施形態２に従うセル再選択を制御するための装置の構造図である。
【図６】本発明の実施形態２に従うセル再選択を制御するための装置の構造図である。
【発明を実施するための形態】
【００１２】
本発明の諸実施形態におけるセル再選択を制御するための方法および装置を、添付図面を参照して以下で詳細に説明する。
【００１３】
実施形態１
本発明の１実施形態で提供するセル再選択を制御するための方法が図１に示されており、以下を含む。
【００１４】
１０１では、現在のセルの信号強度がちょうど設定値より低いときから開始する期間が第１の設定時間を超えるとき、現在のセルの信号強度を第２の設定時間内に取得し、隣接セルの信号強度を第２の設定時間内に取得する。当該第１の設定時間は、設定値未満である時間の後の極めて短い時間である。したがって、当該実施形態は、現在のセルが強い信号強度から当該設定値より弱い信号強度にちょうど切り替わったシナリオに対応する。
【００１５】
１０２では、現在のセルの信号強度に従って現在のセルの信号安定性を第２の設定時間内に決定し、隣接セルの信号強度に従って隣接セルの信号安定性を第２の設定時間内に決定する。
【００１６】
１０３では、隣接セルの信号安定性が現在のセルの信号安定性より低くないとき、サービング・セルを現在のセルに在圏させる。当該第２の設定時間は、当該期間が終了した終了した後の時間であり、当該期間とは独立である。
【００１７】
本発明の当該実施形態で提供するセル再選択を制御するための方法では、現在のセルの信号強度が設定値未満でありその期間が設定時間を超えるとき、このことはモデムまたはモデム装置が弱場に入ったことを示す。現在のセルの信号強度と隣接セルの信号強度が第２の設定時間内に取得され、現在のセルの信号安定性と隣接セルの信号安定性が計算され、隣接セルの信号安定性が現在のセルの信号安定性より低くないとき、サービング・セルは現在のセルに在圏する。本発明の当該実施形態により、弱場の状況において、弱場の信号不安定性のため、モデムまたはモデム装置が継続的にセル再選択を行う必要があり、それによりスタンバイ電力消費が増大し、モデムまたはモデム装置のスタンバイ時間が短くなるという先行技術の問題が解決され、結果として、モデムまたはモデム装置が弱場の状況において最も安定したサービング・セルに在圏し、無意味なセル再選択の実施が回避され、モデムまたはモデム装置のスタンバイ電力消費が減り、スタンバイ時間が延びる。信号強度とは信号電力のことをいう。
【００１８】
具体的な適用例では、現在のセルの信号強度が設定値未満でありその期間が設定時間を超えるとき、当該設定値を−９５ｄｂｍに設定してもよく、現在のセルの信号強度が−９５ｄｂｍ未満でありその期間が設定時間を超えることをモデムまたはモデム装置が検出したとき、このことはモデムまたはモデム装置が位置する地理的領域が弱場であることを示す。次に、ネットワーク検索を開始して、ネットワーク検索を通じて取得した現在のセルおよび隣接セルの信号強度を取得し、安定性を計算し、在圏すべき最も安定なセルを選択する。
【００１９】
現在のセルの信号安定性は、
【００２０】
【数１】
0005804199.tif 000002
【００２１】
に従って決定される。ここで、
【００２２】
【数２】
0005804199.tif 000003
【００２３】
現在のセルの信号安定性であり、ｑｎは当該第２の設定時間内のｎ番目の時点に取得された現在のセルの信号強度であり、Ｑａｖｇは第２の設定時間内のＮ個の時点で取得された現在のセルの信号強度の平均であり、Ｎは現在のセルの信号強度が第２の設定時間内に取得される時点の数であり、Ｎは２以上である（この要件は、下記の実施形態にも適用される）。
【００２４】
隣接セルの信号安定性は、
【００２５】
【数３】
0005804199.tif 000004
【００２６】
により決定される。ここで、Ｑｒは隣接セルの信号安定性であり、ｗｎは、第２の設定時間内のｎ番目の時点に取得される隣接セルの信号強度であり、Ｑａは、第２の設定時間内のＮ個の時点で取得された隣接セルの信号強度の平均である。Ｎは、隣接セルの信号強度が第２の設定時間内に取得された回数である。
【００２７】
現在のセルの信号安定性および隣接セルの信号安定性は分散式に従って取得され、分散値が小さければ小さいほど、信号安定性が良好になる。したがって、隣接セルの信号安定性が現在のセルの信号安定性より低くないとき、サービング・セルは現在のセルに在圏する。
【００２８】
隣接セルの数が１であり、かつ、隣接セルの信号安定性が現在のセルの信号安定性より低くないとき、サービング・セルは現在のセルに在圏し、隣接セルの数が少なくとも２であり、かつ、隣接セルの信号安定性のうち最小の安定性が現在のセルの信号安定性よりも低くないとき、サービング・セルは現在のセルに在圏する。図２に示すように、別の条件も存在する。
【００２９】
隣接セルの信号安定性が現在のセルの信号安定性より低いとき、サービング・セルは隣接セルに再選択される。具体的には、以下の２つの状況が含まれる。
【００３０】
１０４では、隣接セルの数が１であり、かつ、当該隣接セルの信号安定性が現在のセルの信号安定性より低いとき、サービング・セルを現在のセルから隣接セルに再選択する。
【００３１】
１０５では、隣接セルの数が少なくとも２であり、かつ、当該隣接セルの信号安定性のうち最小の安定性が当該現在のセルの信号安定性より低いとき、サービング・セルを現在のセルから最小の安定性に対応する隣接セルに再選択する。
【００３２】
先行技術では、Ｒアルゴリズムを使用して隣接セルをネットワーク検索結果においてソートし、順位が１番目の隣接セルの信号品質因子Ｒｎと現在のセルの信号品質因子Ｒｓを計算する。Ｒｓ＜Ｒｎでありかつ当該期間が事前に設定された値を超えるとき、セル再選択を開始し、モデムまたはモデム装置が現在のセルから隣接セルに再選択する。ここで、Ｒｎ＝Ｑｍｅａｓ（ｎ）−ｑｏｆｆｓｅｔ（ｓ、ｎ）であり、Ｑｍｅａｓ（ｎ）はｎ番目の隣接セルの信号品質の測定値、即ち、ｎ番目の隣接セルの信号強度である。ｑｏｆｆｓｅｔ（ｓ、ｎ）はｎ番目の隣接セルの信号品質オフセット値であり、このパラメータは基地局から取得される。弱場では、信号強度は弱く、信号品質は貧弱であり不安定である。したがって、信号が一時的に不安定であるため信号品質因子が影響を受けることがあり、セル再選択が繰り返されることになる。本発明では、モデムまたはモデム装置のセル再選択は、現在のセルの信号安定性および隣接セルの信号安定性に基づく。最適な信号安定性をもつセルが在圏に選択される。現在のセルの信号強度と信号品質が最良でないが、現在のセルの信号安定性が最適である場合でも、セルの再選択は行われず、現在のセルに在圏する。それにより、弱場の状況においてセル再選択が無意味に行われるのが回避され、モデムまたはモデム装置のスタンバイ電力消費が減り、スタンバイ時間が延びる。
【００３３】
サービング・セルの再選択が現在のセルから隣接セルに対して行われる場合と、サービング・セルが現在のセルに在圏する場合の両方において、モデムまたはモデム装置が位置するサービング・セルの安定性が最良であることを保証するようにサービング・セルをリアルタイムに監視する必要があり、サービング・セルの信号強度と信号品質が最良でない場合でも、セル再選択は依然として実施されない。それにより、モデムまたはモデム装置のスタンバイ電力消費が減る。
【００３４】
図３に示すように、サービング・セルをリアルタイムに監視するステップを下記のように説明する。下記のステップは以下の条件で実施される。即ち、サービング・セルを現在のセルに在圏させた後、または、サービング・セルの再選択を現在のセルから隣接セルに対して実施した後、または、セルの再選択を現在のセルから最小の安定性に対応する隣接セルへ実施した後、および、現在のセルの信号強度が設定値より低いときから開始した期間が第３の設定期間を超えたときである。ここで、当該第３の設定時間は現在のセルの信号強度が設定値未満を保つ期間を指し、通常は、当該期間は比較的長く、現在のセルが安定して弱い信号強度にあるシナリオに対応する。
【００３５】
２０１では、その数が指定された時点に、サービング・セルの信号強度を連続的に取得する。隣接する時点の間隔は同一であってもよい。
【００３６】
例えば、第１の時点でのサービング・セルの第１の信号強度が０ｍｓで取得され、６４０ｍｓの間隔の後、サービング・セルの第２の信号強度が第２の時点に取得される、等である。全体ではサービング・セルの１００個の信号強度が１００個の時点で取得される。
【００３７】
２０２では、その数が指定された取得信号強度に従ってサービング・セルの信号安定性を計算する。
【００３８】
例えば、サービング・セルの１００個の信号強度を取得するとき、当該サービング・セルの信号安定性は式
【００３９】
【数４】
0005804199.tif 000005
【００４０】
に従って計算される。ここで、Ｈｖａｒはサービング・セルの信号安定性であり、ｈｋはｋ番目の時点に取得された当該サービング・セルの信号強度であり、Ｈａｖｇは１００個の時点に取得された当該サービング・セルの信号強度の平均である。
【００４１】
２０３では、信号安定性が事前設定された閾値より高いとき、サービング・セルと隣接セルの信号強度を第４の設定時間内に取得する。
【００４２】
当該第４の設定時間は、その数が指定された時点の後の時間であり、当該第４の設定時間はその数が指定された時点と独立である。
【００４３】
信号安定性が事前設定された閾値より高いとき、サービング・セルが不安定であることが示され、ネットワーク検索を開始してサービング・セルと隣接セルの信号強度を第４の設定時間内に取得する。
【００４４】
サービング・セルの信号安定性はサービング・セルの信号強度に従って決定され、隣接セルの信号安定性は当該隣接セルの当該信号強度に従って決定される。
【００４５】
具体的には、サービング・セルの信号安定性は、
【００４６】
【数５】
0005804199.tif 000006
【００４７】
に従って計算される。ここで、Ｙは当該サービング・セルの信号安定性であり、ｙｍは第４の設定時間におけるｍ番目の時点に取得された当該サービング・セルの信号強度であり、Ｙａは第４の設定時間におけるＭ個の時点に取得された当該サービング・セルの信号強度の平均であり、Ｍは当該第４の設定時間において当該サービング・セルの信号強度が取得された回数である。
【００４８】
隣接セルの信号安定性は、
【００４９】
【数６】
0005804199.tif 000007
【００５０】
に従って計算される。ここで、Ｇは当該隣接セルの信号安定性であり、ｇｍは第４の設定時間におけるｍ番目の時点に取得された当該隣接セルの信号強度であり、Ｇａは第４の設定時間におけるＭ個の時点で取得された隣接セルの信号強度の平均であり、Ｍは当該第４の設定時間において当該隣接セルの信号強度が取得された回数である。
【００５１】
決定されたサービング・セルの信号安定性は、決定された隣接セルの信号安定性と比較される。
【００５２】
隣接セルの数が１である場合、当該隣接セルの信号安定性がサービング・セルの信号安定性より低くないときには当該サービング・セルは在圏し、または、当該隣接セルの信号安定性が当該サービング・セルの信号安定性より低いときには当該サービング・セルは隣接セルに再選択される。
【００５３】
隣接セルの数が少なくとも２である場合、当該隣接セルの信号安定性のうち最小の安定性がサービング・セルの信号安定性より低くないときには当該サービング・セルは在圏し、または、当該隣接セルの信号安定性のうち最小の安定性が当該サービング・セルの信号安定性より低いときには当該サービング・セルは最小の安定性に対応する隣接セルに再選択される。
【００５４】
サービング・セルに在圏する場合と、隣接セルに再選択される場合の両方において、現在のセルをリアルタイムに監視して、モデムまたはモデム装置が位置するサービング・セルの安定性が最良であることを保証し、ステップ２０１を実施する必要がある。
【００５５】
２０４では、信号安定性が事前設定された閾値より高くないとき、次の時点に当該サービング・セルの信号強度を取得する。
【００５６】
２０５では、その数が指定された当該信号強度のうち第１の時点に取得された信号強度以外の全ての信号強度に従って、かつ、当該次の時点に取得された信号強度に従って、当該サービング・セルの信号安定性を計算するステップを実施する。
【００５７】
信号安定性が事前設定された閾値より高くないとき、これはサービング・セルが依然として事前設定された閾値において安定であることを示し、サービング・セルは監視し続けられる。例えば、１０１番目の時点でのサービング・セルの１０１番目の信号強度が取得され、当該サービング・セルの信号安定性は、式
【００５８】
【数７】
0005804199.tif 000008
【００５９】
に従って計算される。ここで、
【００６０】
【数８】
0005804199.tif 000009
【００６１】
は、当該サービング・セルの信号安定性であり、ｈｋはｋ番目の時点に取得された当該サービング・セルの信号強度であり、当該ｋ番目の時点とは、第２の時点から１０１番目の時点うち任意の時点であり、
【００６２】
【数９】
0005804199.tif 000010
【００６３】
は、１００個の時点で取得されたサービング・セルの信号強度の平均である。
【００６４】
再計算で得られたサービング・セルの信号安定性を事前設定された閾値と比較して、サービング・セルと隣接セルの信号強度を取得するかどうかを判定し、ステップ２０３またはステップ２０４を実施する。
【００６５】
本発明の１実施形態ではさらにセル再選択を制御するための方法を提供し、これは図４に示されており、以下を含む。
【００６６】
ステップ３０１では、現在のセルの信号強度が設定値より低い期間が第３の設定時間を超えるとき、その数が指定された時点にサービング・セルの信号強度を連続的に取得する。当該第３の設定時間は、当該現在のセルの信号強度が設定値未満を保つ期間を指し、通常、当該期間は比較的長く、現在のセルが安定して弱い信号強度にあるシナリオに対応する。
【００６７】
ステップ３０２では、その数が指定された取得信号強度に従って当該サービング・セルの信号安定性を計算する。
【００６８】
ステップ３０３では、信号安定性が事前設定された閾値より高いとき、サービング・セルと隣接セルの信号強度を第４の設定時間内に取得する。
【００６９】
ステップ３０４では、サービング・セルの信号強度に従って当該サービング・セルの信号安定性を決定し、隣接セルの信号強度に従って当該隣接セルの信号安定性を決定する。
【００７０】
ステップ３０５では、隣接セルの信号安定性がサービング・セルの信号安定性より低くないとき、サービング・セルに在圏する。さらに、当該方法は以下を含む。
【００７１】
ステップ３０６では、信号安定性が事前設定された閾値より高くないとき、次の時点にサービング・セルの信号強度を取得する。
【００７２】
ステップ３０７では、その数が指定された信号強度のうち第１の時点に取得された信号強度以外の全ての信号強度に従って、かつ、当該次の時点に取得された信号強度に従って、サービング・セルの信号安定性を計算するステップを実施する。
【００７３】
具体的には、隣接セルの信号安定性がサービング・セルの信号安定性より低くないときにサービング・セルに在圏するステップは、
隣接セルの数が１であり、かつ、当該隣接セルの信号安定性が当該サービング・セルの信号安定性より低くないときにサービング・セルに在圏するステップと、
隣接セルの数が少なくとも２であり、かつ、当該隣接セルの信号安定性のうち最小の安定性が当該サービング・セルの信号安定性より低くないとき、サービング・セルに在圏するステップと、
を含む。
【００７４】
さらに、以上の実施形態の方法は以下を含む。
隣接セルの数が１であり、かつ、当該隣接セルの信号安定性がサービング・セルの信号安定性より低いとき、サービング・セルを隣接セルに再選択するステップと、
隣接セルの数が少なくとも２であり、当該隣接セルの信号安定性のうちの最小の安定性がサービング・セルの信号安定性より低いとき、サービング・セルを最小の安定性に対応する隣接セルに再選択するステップ。
【００７５】
先行技術では、モデムまたはモデム装置は、計算を通じて、Ｓアルゴリズムを用いてサービング・セルの信号品質因子と信号電力因子を取得する。これら２つの因子のうち何れか１つの値が同一周波数の測定閾値、インター周波数の測定閾値、またはインター・システムの測定閾値に達すると、モデムまたはモデム装置は、対応する範囲でネットワーク検索測定を開始する。弱場では、信号強度は弱く、信号品質は貧弱で不安定であり、これらがサービング・セルの信号品質因子と信号電力因子に影響を及ぼすので、モデムまたはモデム装置はネットワーク検索を開始する。本発明では、当該サービング・セルの信号安定性のみが監視され、サービング・セルの信号品質因子および信号電力因子が測定閾値に達したとしても、当該サービング・セルの信号安定性が事前設定された閾値より高くない限り、サービング・セルは在圏し続け、サービング・セルは監視し続けられ、ネットワーク検索は開始せず、それにより弱場の状況における無意味なネットワーク検索の実施が回避され、モデムまたはモデム装置のスタンバイ電力消費が減り、スタンバイ時間が延びる。
【００７６】
サービング・セルの安定状態を以上の方法により適時に取得して、モデムまたはモデム装置が位置するサービング・セルの安定性が最適な弱場であることを保証することができる。
【００７７】
実施形態２
本発明の１実施形態で提供するセル再選択を制御するための装置が、図５に示されており、信号強度取得ユニット１１、信号安定性判定ユニット１２、および再選択制御ユニット１３を備える。
【００７８】
信号強度取得ユニット１１は、現在のセルの信号強度がちょうど設定値より低いときから開始する期間が第１の設定時間を超えるとき、当該現在のセルと隣接セルの信号強度を第２の設定時間内に取得するように構成される。
【００７９】
信号安定性判定ユニット１２は、現在のセルの信号強度に従って当該現在のセルの信号安定性を決定し、隣接セルの信号強度に従って当該隣接セルの信号安定性を決定するように構成される。
【００８０】
再選択制御ユニット１３は、隣接セルの信号安定性が当該現在のセルの信号安定性より低くないとき、サービング・セルを現在のセルに在圏させるように構成される。
【００８１】
当該第１の設定時間は、設定値未満である時間の後の極めて短い時間である。したがって、当該実施形態は、現在のセルが強い信号強度から当該設定値より弱い信号強度にちょうど切り替わったシナリオに対応する。
【００８２】
本発明の当該実施形態で提供するセル再選択を制御するための装置では、現在のセルの信号強度が設定値未満でありその期間が設定時間を超えるとき、信号強度取得ユニットは現在のセルと隣接セルの信号強度を第２の設定時間内に取得し、信号安定性判定ユニットは当該現在のセルの信号安定性および当該隣接セルの信号安定性を取得し、再選択制御ユニットは、当該隣接セルの信号安定性が当該現在のセルの信号安定性より低くないときサービング・セルを現在のセルに在圏させる。本発明の当該実施形態では、弱場の状況において、弱場の信号不安定性のため、モデムまたはモデム装置が継続的にセル再選択を行う必要があり、スタンバイ電力消費が増大し、モデムまたはモデム装置のスタンバイ時間が短くなるという先行技術の問題が解決され、結果として、モデムまたはモデム装置が弱場の状況において最も安定したサービング・セルに在圏することが実現され、無意味なセル再選択の実施が回避され、モデムまたはモデム装置のスタンバイ電力消費が減り、スタンバイ時間が延びる。
【００８３】
本発明の当該実施形態で提供するセル再選択を制御するための装置では、信号安定性判定ユニットは特に、現在のセルの信号安定性を
【００８４】
【数１０】
0005804199.tif 000011
【００８５】
に従って決定するように構成される。ここで、
【００８６】
【数１１】
0005804199.tif 000012
【００８７】
は当該現在のセルの信号安定性であり、ｑｎは当該第２の設定時間内のｎ番目の時点で取得された当該現在のセルの信号強度であり、Ｑａｖｇは第２の設定時間内のＮ個の時点で取得された当該現在のセルの信号強度の平均であり、Ｎは当該現在のセルの信号強度が第２の設定時間内に取得される時点の数である。
【００８８】
信号安定性判定ユニットはさらに、当該隣接セルの信号安定性を
【００８９】
【数１２】
0005804199.tif 000013
【００９０】
に従って計算するように構成される。ここで、Ｑｒは当該隣接セルの信号安定性であり、ｗｎは第２の設定時間におけるｎ番目の時点に取得された当該隣接セルの信号強度であり、Ｑａは第２の設定時間におけるＮ個の時点で取得された隣接セルの信号強度の平均であり、Ｎは当該隣接セルの信号強度が当該第２の設定時間内に取得された回数である。
【００９１】
当該再選択制御ユニットは特に、隣接セルの数が１であり、かつ、当該隣接セルの信号安定性が現在のセルの信号安定性より低くないとき、サービング・セルを現在のセルに在圏させ、隣接セルの数が少なくとも２であり、かつ、当該隣接セルの信号安定性のうち最小の安定性が当該現在のセルの信号安定性よりも低くないとき、サービング・セルを現在のセルに在圏させるように構成される。
【００９２】
当該再選択制御ユニットは、隣接セルの数が１であり、かつ、当該隣接セルの信号安定性が現在のセルの信号安定性より低いとき、サービング・セルを現在のセルから隣接セルに再選択するようにさらに構成され、
隣接セルの数が少なくとも２であり、当該隣接セルの信号安定性のうちの最小の安定性が現在のセルの信号安定性より低いとき、サービング・セルを現在のセルから最小の安定性に対応する隣接セルに再選択するように構成される。
【００９３】
以下のユニットが以下のシナリオで適用される。即ち、サービング・セルを現在のセルに在圏させた後、または、サービング・セルの再選択を現在のセルから隣接セルに対して実施した後、または、サービング・セルの再選択を現在のセルから最小の安定性に対応する隣接セルへ実施した後、かつ、当該現在のセルの信号強度が当該設定値より低いときから開始する期間が第３の設定期間を超えるときである。当該第３の設定時間は当該現在のセルの信号強度が設定値未満を保つ期間を指し、通常は、当該期間は比較的長く、現在のセルが安定して弱い信号強度にあるシナリオに対応する。
【００９４】
当該信号強度取得ユニットはさらに、その数が指定された時点にサービング・セルの信号強度を連続的に取得するように構成される。
【００９５】
当該信号安定性判定ユニットはさらに、その数が指定された取得信号強度に従ってサービング・セルの信号安定性を計算するように構成される。
【００９６】
当該信号強度取得ユニットはさらに、信号安定性が事前設定された閾値より高いとき、サービング・セルと隣接セルの信号強度を第４の設定時間内に取得するように構成される。
【００９７】
当該信号強度取得ユニットはさらに、信号安定性が事前設定された閾値より高くないとき、次の時点にサービング・セルの信号強度を取得するように構成される。
【００９８】
当該信号安定性判定ユニットはさらに、その数が指定された信号強度のうち第１の時点に取得された信号強度以外の全ての信号強度に従って、かつ、当該次の時点に取得された信号強度に従って、サービング・セルの信号安定性を再計算するように構成される。
【００９９】
当該信号安定性判定ユニットはさらに、サービング・セルの信号強度に従って当該サービング・セルの信号安定性を計算し、隣接セルの当該信号強度に従って当該隣接セルの信号安定性を計算するように構成される。
【０１００】
当該再選択制御ユニットはさらに、隣接セルの数が１である場合に、当該隣接セルの信号安定性がサービング・セルの信号安定性より低くないときにはサービング・セルに在圏させ、または、当該隣接セルの信号安定性が当該サービング・セルの信号安定性より低いとき、サービング・セルを隣接セルに再選択し、または、隣接セルの数が少なくとも２である場合には、当該隣接セルの信号安定性のうち最小の安定性がサービング・セルの信号安定性より低くないときにはサービング・セルに在圏させ、または、当該隣接セルの信号安定性のうちの最小の安定性が当該サービング・セルの信号安定性より低いときにはサービング・セルを最小の安定性に対応する隣接セルに再選択するように構成される。
【０１０１】
本発明の１実施形態で提供するセル再選択を制御するための装置が、図６で示されており、第１のユニット２１、第２のユニット２２、第３のユニット２３、第４のユニット２４、および第５のユニット２５を備える。
【０１０２】
第１のユニット２１は、現在のセルの信号強度が設定値より低い期間が第３の設定時間を超えるとき、その数が指定された時点に、サービング・セルの信号強度を連続的に取得するように構成される。
第２のユニット２２は、その数が指定された取得信号強度に従ってサービング・セルの信号安定性を計算するように構成される。
第３のユニット２３は、当該信号安定性が事前設定された閾値より高いとき、サービング・セルと隣接セルの信号強度を第４の設定時間内に取得するように構成される。
第４のユニット２４は、サービング・セルの信号強度に従って当該サービング・セルの信号安定性を決定し、隣接セルの当該信号強度に従って当該隣接セルの信号安定性を決定するように構成される。
第５のユニット２５は、隣接セルの信号安定性がサービング・セルの信号安定性より低くないときにサービング・セルに在圏させるように構成される。
【０１０３】
本実施形態の装置はさらに、
信号安定性が事前設定された閾値より高くないとき、次の時点にサービング・セルの信号強度を取得するように構成された第６のユニットと、
その数が指定された信号強度のうち第１の時点に取得された信号強度以外の全ての信号強度に従って、かつ、当該次の時点に取得された信号強度に従って、当該サービング・セルの信号安定性を計算するステップを実施するように構成された第７のユニットと、
を備える。
【０１０４】
具体的には、当該第５のユニットは、
隣接セルの数が１であり、かつ、当該隣接セルの信号安定性が当該サービング・セルの信号安定性より低くないとき、サービング・セルに在圏させるように構成された第８のユニットと、
隣接セルの数が少なくとも２であり、かつ、当該隣接セルの信号安定性のうち最小の安定性がサービング・セルの信号安定性より低くないとき、サービング・セルに在圏させるように構成された第９のユニットと、
を備える。
【０１０５】
本実施形態の装置はさらに、
隣接セルの数が１であり、かつ、当該隣接セルの信号安定性が当該サービング・セルの信号安定性より低いとき、サービング・セルを隣接セルに再選択するように構成された第１０のユニットと、
隣接セルの数が少なくとも２であり、かつ、当該隣接セルの信号安定性のうちの最小の安定性がサービング・セルの信号安定性より低いとき、サービング・セルを最小の安定性に対応する隣接セルであるように再選択するように構成された第１１のユニットと、
を備える。
当該装置はモデムであってもよく、または、当該装置はモデム装置内に配置される。
【０１０６】
当該装置の動作プロセスに関しては、上記のセル再選択方法の実装プロセスを参照する。装置の実施形態では、方法の実施形態と同じ用語は同じ意味を有する。
【０１０７】
本発明の諸実施形態に従う方法のステップの全部または一部を、関連するハードウェアに指示するプログラムによって実装してもよいことは当業者には理解されよう。当該プログラムをコンピュータ読取可能記憶媒体に格納してもよい。当該プログラムを実行すると、本発明の諸実施形態に従う方法のステップが実施される。当該記憶媒体が、ＲＯＭ、ＲＡＭ、磁気ディスク、または光ディスクのようなプログラム・コードを格納できる任意の媒体であってもよい。以上の説明は本発明の幾つかの実施形態にすぎず、本発明を限定しようとするものではない。本発明の技術的範囲において当業者が容易に想到できる様々な変形と修正は、本発明の範囲に入るものとする。したがって、本発明の保護範囲は、添付の特許請求の範囲に従う。
【符号の説明】
【０１０８】
１１  信号強度取得ユニット
１２  信号安定性決定ユニット
１３  再選択制御ユニット
２１  第１のユニット
２２  第２のユニット
２３  第３のユニット
２４  第４のユニット
２５  第５のユニット
【図１】
0005804199.tif 000020
【図２】
0005804199.tif 000021
【図３】
0005804199.tif 000022
【図４】
0005804199.tif 000023
【図５】
0005804199.tif 000024
【図６】
0005804199.tif 000025